(57)【特許請求の範囲】
【請求項１】
水平方向の回転軸心を中心に回転自在な回転子と、
前記回転子の周面に対向して前記回転軸心方向に複数のスロットを有するステータコアと、
前記スロットの内側に巻装されたステータ巻線とを備えたモータの冷却装置において、
前記回転子と対向して前記回転軸心に沿う前記スロットの開放部を密封部材で覆うことによって前記スロットに冷却通路を複数形成し、
前記ステータコアの一端部で前記複数の冷却通路に互いに連通する入口室と、前記ステータコアの他端部で前記複数の冷却通路に互いに連通する出口室とを備え、前記入口室から前記出口室に向かい前記冷却通路内に一方向に冷却液を流すように構成し、
前記入口室内の上方側から下方側にかけて流路抵抗が大きくなり、前記複数の冷却通路の各々に前記入口室からの冷却液が等しく分配されるように、冷却液の流れを整流する整流板を設けたことを特徴とするモータの冷却装置。
【請求項２】
請求項１に記載のモータの冷却装置において、
前記ステータ巻線の端部を前記入口室内を引き回して外部へ引き出し、前記冷却通路の各々に前記入口室からの冷却液が等しく分配されるように、前記入口室内に引き回される前記ステータ巻線の密度分布に応じて前記入口室の容積形状を変更することを特徴とするモータの冷却装置。
【請求項３】
回転軸心を中心に回転自在な回転子と、
前記回転子の周面に対向して前記回転軸心方向に複数のスロットを有するステータコアと、
前記スロットの内側に巻装されたステータ巻線とを備えたモータの冷却装置において、
前記回転子と対向して前記回転軸心に沿う前記スロットの開放部を密封部材で覆うことによって前記スロットに冷却通路を複数形成し、
前記ステータコアの一端部で前記複数の冷却通路に互いに連通する入口室と、前記ステータコアの他端部で前記複数の冷却通路に互いに連通する出口室とを備え、前記入口室から前記出口室に向かい前記冷却通路内に一方向に冷却液を流すように構成し、
前記ステータ巻線の端部を前記入口室内を引き回して外部へ引き出し、前記冷却通路の各々に前記入口室からの冷却液が等しく分配されるように、前記入口室内に引き回される前記ステータ巻線の密度分布に応じて前記入口室の容積形状を変更することを特徴とするモータの冷却装置。
【請求項４】
請求項３に記載のモータの冷却装置において、
前記複数の冷却通路の各々に前記入口室からの冷却液が等しく分配されるように、前記入口室内に冷却液の流れを整流する整流板を設けたことを特徴とするモータの冷却装置。
【発明の詳細な説明】
【０００１】
【発明の属する技術分野】
本発明は、車載用モータなどに用いられるステータ巻線（固定子コイル）やステータコア（固定子鉄心）を冷却するモータの冷却装置に関する。
【０００２】
【従来の技術】
車載用モータや発電機は、回転子（ロータ）と、その周囲に配設されステータ巻線が巻き付けられているステータコアとを有する。モータはステータ巻線に通電して回転力を得、発電機はロータの回転によりステータ巻線に流れる電流を取り出す。そして、ロータ回転時にステータ巻線に電流が流れると、ステータコアやステータ巻線が発熱する。この発熱を抑えるための冷却装置が、例えば特開平８−２５１８７２号公報に開示されている。この公報記載の冷却装置では、ステータコアの外周部に冷媒の通過する冷却ジャケットを設けるとともに、この冷却ジャケットをステータコアの所定部（中央部および両端部）においてステータコアの外周側から内周側にかけて延設している。これにより、ステータ巻線の近傍を冷媒が流れ、ステータ巻線の発熱が低減される。
【０００３】
【発明が解決しようとする課題】
しかしながら、上述した公報記載の装置では、ステータ巻線の所定部近傍に冷媒を流すので、ステータ巻線は部分的に、かつ、ステータコアを介して間接的に冷却されることとなり、ステータ巻線を十分に冷却することができない。また、ステータコアを中央部で分割して冷却ジャケットを設けるので、構造が複雑となり、コストが増加する。
【０００４】
本発明の目的は、簡易な構成によりステータ巻線の冷却効果を十分に高めることのできるモータの冷却装置を提供することにある。
【０００５】
【課題を解決するための手段】
一実施の形態を示す図１〜５を参照して説明する。
（１）  請求項１の発明は、水平方向の回転軸心を中心に回転自在な回転子２と、回転子２の周面に対向して回転軸心方向に複数のスロット６を有するステータコア５と、スロット６の内側に巻装されたステータ巻線８とを備えたモータの冷却装置に適用される。そして、回転子２と対向して回転軸心に沿うスロット６の開放部を密封部材１４で覆うことによってスロット６に冷却通路１５を複数形成し、ステータコア５の一端部で複数の冷却通路１５に互いに連通する入口室１２と、ステータコア５の他端部で複数の冷却通路１５に互いに連通する出口室１３とを備え、入口室１２から出口室１３に向かい冷却通路１５内に一方向に冷却液を流すように構成し、入口室１２内の上方側から下方側にかけて流路抵抗が大きくなり、複数の冷却通路１５の各々に入口室１２からの冷却液が等しく分配されるように、冷却液の流れを整流する整流板２１ａ,２１ｂを設けたことにより上述した目的は達成される。
（２）  請求項２の発明は、図８〜１０に示すように、ステータ巻線８の端部を入口室１２内を引き回して外部へ引き出し、冷却通路１５の各々に入口室１２からの冷却液が等しく分配されるように、入口室１２内に引き回されるステータ巻線８の密度分布に応じて入口室１２の容積形状を変更するものである。
（３）  請求項３の発明は、回転軸心を中心に回転自在な回転子２と、回転子２の周面に対向して回転軸心方向に複数のスロット６を有するステータコア５と、スロット６の内側に巻装されたステータ巻線８とを備えたモータの冷却装置に適用される。そして、回転子２と対向して回転軸心に沿うスロット６の開放部を密封部材１４で覆うことによってスロット６に冷却通路１５を複数形成し、ステータコア５の一端部で複数の冷却通路１５に互いに連通する入口室１２と、ステータコア５の他端部で複数の冷却通路１５に互いに連通する出口室１３とを備え、入口室１２から出口室１３に向かい冷却通路１５内に一方向に冷却液を流すように構成し、ステータ巻線８の端部を入口室１２内を引き回して外部へ引き出し、冷却通路１５の各々に入口室１２からの冷却液が等しく分配されるように、入口室１２内に引き回されるステータ巻線８の密度分布に応じて入口室１２の容積形状を変更することにより上述した目的は達成される。
（４）  請求項４の発明は、図６,７に示すように、複数の冷却通路１５の各々に入口室１２からの冷却液が等しく分配されるように、入口室１２内に冷却液の流れを整流する整流板２１ａ,２１ｂを設けたものである。
【０００６】
なお、本発明の構成を説明する上記課題を解決するための手段の項では、本発明を分かり易くするために発明の実施の形態の図を用いたが、これにより本発明が実施の形態に限定されるものではない。
【０００７】
【発明の効果】
本発明によれば、回転子と対向して回転軸心に沿うステータコアのスロットの開放部を密封部材で覆うことにより冷却通路を形成し、その冷却通路内に冷却液を流すようにしたので、スロットの内側に巻装されたステータ巻線が冷却液によって直接冷却され、冷却効果を高めることができるとともに、ステータ巻線に沿って冷却液が流され、ステータ巻線を均一に冷却することができる。また、ステータ巻線を巻装するためのスロットを冷却通路として用いるので、ステータコアの内部に別途冷却通路を加工する必要がなく、コストも抑えられる。ステータコアの一端部で複数の冷却通路に連通する入口室に整流板を設けるようにし、あるいは、入口室内に引き回されるステータ巻線の密度分布に応じて入口室の容積形状を変更するようにし、各々の冷却通路に冷却液が等しく分配されるようにしたので、周方向を均一に冷却することができる。
【０００８】
【発明の実施の形態】
以下、図面を参照して本発明の実施の形態について説明する。
−第１の実施の形態−
図１は本発明の第１の実施の形態に係わるモータの冷却装置の側面断面図であり、図２は図１のII-II線断面図、図３は図１のIII-III線断面図、図４は図１のIV-IV線断面図である。なお、以下ではモータの回転軸を水平面内に延設させ、回転軸に垂直な方向を上下方向と定義する。図１〜４に示すように、フレーム１は、円筒板１ａと円筒板１ａの両端部を閉塞する側板１ｂ,１ｃとからなり、フレーム１の内部にはロータ２が収納されている。ロータ２は側板１ｂ,１ｃにそれぞれ固設されたベアリング３により回転自在に支持され、ロータ２の外周面近傍には磁石４が設けられている。円筒板１ａの内周面には多層構造のステータ５（鉄心）が挿着され、ステータ５の内周面とロータ２の外周面の間には所定の間隙が設けられている。ステータ５の内周面には周方向等間隔にスロット６が設けられ、各スロット６は軸方向に延在し、ステータ５の両端部を貫通している。スロット６の表面にはそれぞれ絶縁紙７が装着され、スロット６には絶縁紙７を介してコイル８が巻き付けられている。これにより、コイル８に電流が流れると回転磁界が形成されてロータ２が回転する。ロータ２の回転力は側板１ｂ,１ｃから突出されたロータ２の軸端部を介し、モータ２の動力として外部に取り出される。
【０００９】
ステータ５の両端面には断面略コの字形状を有するリング状のオイルジャケット１０,１１が取り付けられ、ステータ５の両端面とオイルジャケット１０,１１の間にはそれぞれオイル室１２,１３が形成されている。また、各スロット６の開口部にはスロット６を塞ぐようにオイルアンダープレート１４が取り付けられ、スロット６とアンダープレート１４とによりそれぞれ冷却通路１５が形成されている。オイルジャケット１０,１１とオイルアンダープレート１４は樹脂などの絶縁部材からなっている。アンダープレート１４の軸方向両端面はオイルジャケット１０,１１の内周部１０ａ,１１ａの端面にそれぞれ接合され（図１５参照）、その接合部、およびステータ５とオイルジャケット１０,１１の接合部、ステータ５とアンダープレート１４の接合部はそれぞれシール材などによりシールされている。これにより、各冷却通路１５はオイル室１２,１３を介してそれぞれ連通し、オイル室１２,１３と冷却通路１５とにより密閉空間が形成されている。オイルジャケット１０の上方部には円筒板１ａを貫通してオイル供給口１６が設けられ、オイルジャケット１１の下方部には円筒板１ａを貫通してオイル排出口１７が設けられている。なお、各冷却通路１５の通路断面積はそれぞれ等しくされている。
【００１０】
図５は、第１の実施の形態に係わる冷却装置内の冷却液の流れを示す概念図である。冷却液としては絶縁油が用いられる。不図示のポンプによって圧送された冷却液は、オイル供給口１６を介してオイル室１２に供給され、各冷却通路１５に分配される。冷却通路１５に分配された冷却液は、通路１５内に露出されたコイル８と接触しながら一方向に流されて、オイル室１３に導かれる。この冷却液の流れにより、コイル８と冷却液との間で熱交換がなされ、コイル８が冷却される。オイル室１１に導かれた冷却液はオイル排出口１７を介してフレーム１の外部へ排出される。排出された冷却液は不図示のオイルクーラなどにより熱交換されて冷却され、再び油室１２に供給される。このようにして冷却液はフレーム１の内外を循環する。
【００１１】
このように第１の実施の形態によると、コイル８が配設されたステータ５内周部のスロット６をオイルアンダープレート１４により閉鎖して冷却通路１５を形成し、この冷却通路１５に冷却液を流すようにしたので、冷却液によってコイル８は直接冷却され、コイル８の冷却効果を高めることができる。また、コイル８はスロット６に沿って巻かれているので、コイル全体を均一に冷却することができる。さらに、コイル巻き付け用のスロット６を冷却通路１５として用いるので、ステータ５の内部などに冷却通路を別途加工する必要がなく、加工コストも抑えられる。
【００１２】
−第２の実施の形態−
第１の実施の形態では、各冷却通路１５の通路断面積を等しく設定したが、オイル供給口１６から各冷却通路１５の入口までの経路はそれぞれ異なるので、通路面積を等しく設定しただけでは冷却液の通過量を互いに等しくすることができない。具体的には、オイル室１２に供給された冷却液は下方に溜まるので、下方に位置する冷却通路１５内により多くの冷却液が流れる。そこで、第２の実施の形態では、以下のようにしてオイル室１２内の冷却液の流れを調整し、各冷却通路１５への冷却液の分配量を調整する。
【００１３】
第２の実施の形態が第１の実施の形態と異なるのは、オイル室１２の形状である。図６は、第２の実施の形態に係わるモータの冷却装置の側面断面図であり、図７は図６のVII-VII線断面図である。なお、図６，７において図１，２と同一の箇所には同一の符号を付し、以下ではその相違点を主に説明する。
【００１４】
図６、７に示すように、オイル室１２において、各冷却通路１５の間には略放射状に整流板２１ａ,２１ｂが配設され、整流板２１ａ,２１ｂはオイルジャケット１０の内側面に直交して接合されている。オイル室１２の上方側に位置する整流板２１ａの内径側端面はオイルジャケット１０の内径側周面に略垂直に接合され、整流板２１ａの外形側端面はオイルジャケット１０の外径側周面から離間している。一方、オイル室１２の下方側に位置する整流板２１ｂの外径側端面はオイルジャケット１０の外径側周面に略垂直に接合され、整流板２１ｂの内径側端面はオイルジャケット１０の内径側周面から離間している。また、整流板２１ａ,２１ｂの周方向長さ、軸方向長さは一定ではなく、オイル室１２の下方側に位置する整流板２１ｂは上方側に位置する整流板２１ａよりも板面積が大きくなっている。
【００１５】
このようにオイル室１２に整流板２１ａ,２１ｂを配設することで、オイル室１２内の上方側から下方側にかけて流路抵抗が大きくなり、オイル室１２の上方側に位置する冷却通路１５に冷却液が流入しやすくなる。その結果、各冷却通路１５にほぼ同量の冷却液が分配されることとなり、周方向を均一に冷却することができる。
【００１６】
−第３の実施の形態−
第３の実施の形態が第１の実施の形態と異なるのはオイル室１２の形状である。図８は第３の実施の形態に係わるモータの冷却装置の側面断面図であり、図９は図８のIX-IX線断面図、図１０は図８のX-X線断面図である。なお、図９,１０では主要部のみを全周にわたって図示する。また、図８〜１０において図１，２と同一の箇所には同一の符号を付し、以下ではその相違点を主に説明する。
【００１７】
図９に示すように、オイル室１２において、ステータ５に巻き付けられたコイル８の先端はそれぞれオイル室内の一箇所（図では上方部）に集められ、そこからオイルジャケット１０および円筒板１ａを貫通してフレーム１の外部に取り出される。それ故、オイル室内の下方側から上方側にかけてコイル８の配線が密になり、上方側の流路抵抗が増加する。このような流路抵抗の増加により、オイル室１２内の冷却液の流れが不均一となり、各冷却通路１５を通過する流量に差が生じやすくなる。
【００１８】
そこで、第３の実施の形態では、図８、１０に示すように、オイル室１２の径方向通路幅と同一幅を有し、オイル室１２内を円周方向に延在する板厚部材２２をオイルジャケット１０の内側面に接合する。板厚部材２２の径方向の板厚ｔは位相毎で一定であるが、軸方向の板厚ｔはコイル８の配線の密度分布に応じて変化する。すなわち、図１０（ｂ）に示すように、軸方向の板厚部材２２の板厚ｔはオイル室の上方側から下方側にかけて徐々に増加しており、コイルの配線が密である上方部（位相０゜近傍）において板厚ｔは０、コイルの配線が粗である最下部（位相１８０゜）において板厚ｔは最大ｔ1となっている。これによって、オイル室１２内の流路抵抗が周方向で等しくなり、各冷却通路１５を通過する流量を等しくすることができる。なお、第３の実施の形態と前述した第２の実施の形態とを組み合わせることで、オイル室１２内の冷却液の流れの微調整が可能となり、各冷却通路１５を通過する流量を容易に等しくすることができる。
【００１９】
−第４の実施の形態−
上述したように、第１〜第３の実施の形態では、オイル室１２からオイル室１３にかけて冷却通路１５内を一方向に冷却液が流れるように構成した。これに対して第４の実施の形態では、図１１に示すように、オイル室１２,１３間を往復しながら冷却液が各冷却通路１５を順次通過するように構成する。
【００２０】
第４の実施の形態が第１の実施の形態と異なるのは、ステータ５の両端部に設けられたオイル室１２,１３の形状である。図１２は、第４の実施の形態に係わるモータの冷却装置の側面断面図であり、図１３は図１２のXIII-XIII線断面図、図１４は図１２のXIV-XIV線断面図、図１５は図１３,１４のXV-XV線断面図である。なお、図１３〜１５では主要部のみを図示する。また、図１２〜１５において図１,２,４と同一の箇所には同一の符号を付し、以下ではその相違点を主に説明する。
【００２１】
図１３〜１５に示すように、各冷却通路１５の内部には仕切板２３が軸方向に延在して配置されている。仕切板２３の径方向両端面はスロット６の周面およびアンダープレート１４にそれぞれ直交して接合され、各冷却通路１５は周方向にそれぞれ２分割されている。なお、以下では、図１３,１４に示すように、各コイル８を挟んで対向する冷却通路をそれぞれ対とし、対となった冷却通路に互いに異なる符号１５ａ〜１５ｌを付して説明する。
【００２２】
オイル室１２において、仕切板２３の軸方向一端面には整流板２４または２５の軸方向一端面が接合され、オイル室１３において、仕切板２３の軸方向他端面には整流板２６または２７の軸方向一端面が接合されている。オイル室１２の整流板２４の残りの端面はオイルジャケット１０の内側面および内周側,外周側周面にそれぞれ接合され、整流板２５の軸方向他端面および内径側端面はオイルジャケット１０の内側面および内周側周面にそれぞれ接合されている。また、オイル室１３の整流板２６の残りの端面はオイルジャケット１１の内側面および内周側,外周側周面にそれぞれ接合され、整流板２７の軸方向他端面および内径側端面はオイルジャケット１１の内側面および内周側周面にそれぞれ接合されている。このようにオイル室１２,１３に整流板２４,２６を配置することで、オイル室１２,１３が複数に分割され、後述するように冷却液の流れが整流板２４,２６で阻止される。また、オイル室１２,１３に整流板２５,２７を配置することで、後述するように、整流板２５,２７の外径側端面とオイルジャケット１０,１１の外径側端面との間の隙間を冷却液が通過する。
【００２３】
図１３に示すように、オイルジャケット１０の外周面には、冷却通路１５ａに連通するオイル室１２に面してオイル供給口１６が設けられ、冷却通路１５ｌに連通するオイル室１２に面してオイル排出口１７が設けられている。冷却通路１５ａ,１５ｌに連通するオイル室１２の周方向両側にはそれぞれ整流板２４が配置され、オイル室１２の残りの周方向には整流板２５と整流板２４が交互に配置されている。また、図１４に示すように、冷却通路１５ａと冷却通路１５ｌの間に位置するオイル室１３には整流板２６が配置され、オイル室１３の残りの周方向には整流板２７と整流板２６が交互に配置されている。
【００２４】
このようにオイル室１２,１３に整流板２４〜２７を配置することで、冷却液の流れは矢印の如く制御され、図１１に示すように、冷却液はオイル室１２,１３間を往復しながらフレーム１内を循環する。すなわち、オイル供給口１６からオイル室１２に供給された冷却液は、整流板２４によって周方向の流れが阻止されるため、冷却通路１５ａを通ってオイル室１３へと導かれる。次いで、冷却液はオイル室１３で整流板２７の外径側の隙間を通って冷却通路１５ｂに導かれ、冷却通路１５ｂからオイル室１２へと流される。続いて、冷却液はオイル室１２で整流板２５の外径側の隙間を通って冷却通路１５ｃへ導かれ、冷却通路１５ｃからオイル室１３へと流される。以降、同様にして、冷却液は冷却通路１５ｄ,１５ｅ,１５ｆ,１５ｇ,１５ｈ,１５ｉ,１５ｊ,１５ｋ,１５ｌに順次に導かれ、オイル排出口１７から排出される。
【００２５】
このように第４の実施の形態によると、オイル室１２,１３に整流板２４〜２７を設けてオイル室１２,１３を複数に分割し、オイル室１２,１３間を往復させながら冷却液をフレーム１内に循環させるようにしたので、冷却液の流量を抑えて、つまり冷却液を流量制御してコイル８を冷却することができる。
【００２６】
なお、上記実施の形態は、モータに適用したが、発電機にも同様に適用することができる。また、上記実施の形態において、ステータ５の端部におけるオイルジャケット１０,１１の取り付け構造には種々のものが考えられ、例えばフレーム１とステータ５とでオイルジャケット１０,１１を挟み込むようにすればよい。さらに、上記実施の形態では、アンダープレート１４を周方向に複数設けるようにしたが、アンダープレート１４をステータ５の内周面に沿って円筒形状とし、各アンダープレート１４を一体化してもよい。
【００２７】
また、上記第１〜第３の実施の形態において、各冷却通路１５を周方向に連通させ、冷却通路１５を一つとして構成してもよい。さらに、周方向に所定以上の温度分布が存在する場合には、その温度分布に応じて各冷却通路１５を通過する冷却液の流量を冷却通路１５毎に変更するようにしてもよい。さらにまた、全てのスロット６に対応して冷却通路１５を形成するのではなく、より高温となる特定のスロット６に対応して冷却通路１５を形成するようにしてもよい。
【００２８】
また、第４の実施の形態においては、オイル室１２,１３で２本の冷却通路（例えば１５ｂと１５ｃ,１５ｃと１５ｄなど）を連通させるようにしたが、３本以上の冷却通路（例えば１５ｂと１５ｃと１５ｄ,１５ｄと１５ｅと１５ｆなど）を連通させるようにしてもよい。さらに、冷却液の流出入口１６,１７を各々複数設けるようにしてもよい。
【００２９】
以上の実施の形態と請求項との対応において、ロータ２が回転子を、コイル８がステータ巻線を、オイルアンダープレート１４が密封部材を、オイル室１２が入口室を、オイル室１３が出口室をそれぞれ構成する。
【図面の簡単な説明】
【図１】本発明の第１の実施の形態に係わるモータの冷却装置の側面断面図。
【図２】第１の実施の形態に係わるモータの冷却装置の断面図（図１のII-II線断面図）。
【図３】第１の実施の形態に係わるモータの冷却装置の断面図（図１のIII-III線断面図）。
【図４】第１の実施の形態に係わるモータの冷却装置の断面図（図１のIV-IV線断面図）。
【図５】第１の実施の形態に係わるモータの冷却装置内の冷却液の流れを示す概念図。
【図６】本発明の第２の実施の形態に係わるモータの冷却装置の側面断面図。
【図７】第２の実施の形態に係わるモータの冷却装置の断面図（図６のVII-VII線断面図）。
【図８】本発明の第３の実施の形態に係わるモータの冷却装置の側面断面図。
【図９】第３の実施の形態に係わるモータの冷却装置の断面図（図８のIX-IX線断面図）。
【図１０】第３の実施の形態に係わるモータの冷却装置の断面図（図８のX-X線断面図）。
【図１１】第４の実施の形態に係わるモータの冷却装置内の冷却液の流れを示す概念図。
【図１２】本発明の第４の実施の形態に係わるモータの冷却装置の側面断面図。
【図１３】第４の実施の形態に係わるモータの冷却装置の断面図（図１２のXIII-XIII線断面図）。
【図１４】第４の実施の形態に係わるモータの冷却装置の断面図（図１２のXIV-XIV線断面図）。
【図１５】第４の実施の形態に係わるモータの冷却装置の断面図（図１３,１４のXV-XV線断面図）。
【符号の説明】
２  ロータ                        ５  ステータ
６  スロット                      ８  コイル
１０,１１  オイルジャケット     １２,１３  オイル室
１４  オイルアンダープレート  １５,１５ａ〜１５ｌ  冷却通路
２１ａ,２１ｂ  整流板                ２２  板厚部材
２３  仕切板                ２４〜２７  整流板
【図１】
0003661529.tif 000002
【図２】
0003661529.tif 000003
【図３】
0003661529.tif 000004
【図４】
0003661529.tif 000005
【図５】
0003661529.tif 000006
【図６】
0003661529.tif 000007
【図７】
0003661529.tif 000008
【図８】
0003661529.tif 000009
【図９】
0003661529.tif 000010
【図１０】
0003661529.tif 000011
【図１１】
0003661529.tif 000012
【図１２】
0003661529.tif 000013
【図１３】
0003661529.tif 000014
【図１４】
0003661529.tif 000015
【図１５】
0003661529.tif 000016